(57)【要約】      （修正有）【課題】一方側鍔部と他方側鍔部の互いに対向する面側から逆の面側に向かって高さ寸法が徐々に大きくなるように傾斜した外部電極を備えた巻線型コイル部品を効率よく製造する。【解決手段】貫通孔１２を備えた基材１１に配設された粘着性および弾性を有する保持部材１３にコア部材１を着脱可能に粘着保持させ、第１の押し出し部材２１を押し出すことにより傾斜させたコア部材１の一方側鍔部３ａの外部電極を形成すべき領域Ｒ１に電極ペースト膜１７ａを形成した後、第１の押し出し部材２１を戻し、第２の押し出し部材２２を押し出すことにより傾斜させたコア部材１の他方側鍔部３ｂの外部電極を形成すべき領域Ｒ２に電極ペースト膜１７ｂを形成する。【選択図】図７Ｂ
2016042549.tif 000002
【特許請求の範囲】
【請求項１】
柱状の巻芯部と、前記巻芯部の両端に設けられた一対の鍔部とを備えたコア部材と、前記一対の鍔部における一方側鍔部と他方側鍔部のそれぞれに形成された一対の外部電極と、前記巻芯部に巻回された巻線とを具備し、前記一対の外部電極のそれぞれが、前記一対の鍔部の互いに対向する面側から逆の面側に向かって高さ寸法が徐々に大きくなるように傾斜した構造を有する巻線型コイル部品の製造方法において、
貫通孔を備えた基材と、当該基板の一方主面に配設された、粘着性および弾性を有する保持部材とを有する保持治具における当該保持部材の表面に、前記コア部材を着脱可能に粘着保持させる保持工程と、
押し出し部材を、前記基材の前記貫通孔を経て、前記保持部材の裏面側から表面側に向かって押し出すことにより、前記保持部材の前記コア部材を保持する前記表面が前記基材の前記一方主面に対して所定の角度を持って傾斜するように前記保持部材を変形させ、前記コア部材の前記一方側鍔部の前記外部電極を形成すべき領域が、前記他方側鍔部よりも、前記基材の前記一方主面から突出した姿勢とする姿勢調整工程と、
前記基材の前記一方主面から突出した前記一方側鍔部の前記外部電極を形成すべき領域を電極ペーストに浸漬し、引き離すことにより、前記一方側鍔部の前記外部電極を形成すべき領域に電極ペーストを付与する電極ペースト付与工程と
を備えていることを特徴とする巻線型コイル部品の製造方法。
【請求項２】
前記保持治具として、
貫通孔を設けたプレート状の基材と、
前記基材の前記一方主面に、所定領域が前記基材に固着するように配設された、粘着性および弾性を有し、前記コア部材を着脱可能に粘着保持する保持部材と、
前記貫通孔を経て、前記保持部材の所定領域を、裏面側から前記コア部材が粘着保持される表面側に向かって押し出して、前記コア部材の前記一方側鍔部の前記外部電極を形成すべき領域が、前記他方側鍔部よりも、前記基材の前記一方主面から突出した姿勢とする押し出し部材と
を備えた保持治具を用いることを特徴とする請求項１記載の巻線型コイル部品の製造方法。
【請求項３】
柱状の巻芯部と、前記巻芯部の両端に設けられた一対の鍔部とを備えたコア部材と、前記一対の鍔部における一方側鍔部と他方側鍔部のそれぞれに形成された一対の外部電極と、前記巻芯部に巻回された巻線とを具備し、前記一対の外部電極のそれぞれが、前記一対の鍔部の互いに対向する面側から逆の面側に向かって高さ寸法が徐々に大きくなるように傾斜した構造を有する巻線型コイル部品の製造方法において、
貫通孔を備えた基材と、当該基材の一方主面に配設された、粘着性および弾性を有する保持部材とを有する保持治具における当該保持部材の表面に、前記コア部材を着脱可能に粘着保持させる保持工程と、
第１の押し出し部材を、前記基材の前記貫通孔を経て、前記保持部材の裏面側から表面側に向かって押し出すことにより、前記保持部材の前記コア部材を保持する前記表面が前記基材の前記一方主面に対して所定の角度を持って傾斜するように前記保持部材を変形させ、前記コア部材の前記一方側鍔部の前記外部電極を形成すべき領域が、前記他方側鍔部よりも、前記基材の前記一方主面から突出した姿勢とする第１の姿勢調整工程と、
前記基材の前記一方主面から突出した前記一方側鍔部の前記外部電極を形成すべき領域を電極ペーストに浸漬し、引き離すことにより、前記一方側鍔部の前記外部電極を形成すべき領域に電極ペーストを付与する第１の電極ペースト付与工程と、
前記第１の電極ペースト付与工程の後に、前記保持部材の裏面側から表面側に向かって押し出していた前記第１の押し出し部材を元の位置に戻して、前記保持部材の前記コア部材を保持する前記表面が前記基材の前記一方主面と平行な状態にした後、前記第１の押し出し部材により押し出す位置とは異なる前記保持部材の所定の位置を、第２の押し出し部材により、前記基材の前記貫通孔を経て、前記保持部材の裏面側から表面側に向かって押し出すことにより、前記保持部材の前記表面が前記基材の前記一方主面に対して所定の角度を持って傾斜するように前記保持部材を変形させ、前記コア部材の前記他方側鍔部の前記外部電極を形成すべき領域が、前記一方側鍔部よりも、前記基材の前記一方主面から突出した姿勢とする第２の姿勢調整工程と、
前記基材の前記一方主面から突出した前記他方側鍔部の前記外部電極を形成すべき領域を電極ペーストに浸漬し、引き離すことにより、前記一方側鍔部の前記外部電極を形成すべき領域に電極ペーストを付与する第２の電極ペースト付与工程と
を備えていることを特徴とする巻線型コイル部品の製造方法。
【請求項４】
前記保持治具として、
貫通孔を設けたプレート状の基材と、
前記基材の前記一方主面に、所定領域が前記基材に固着するように配設された、粘着性および弾性を有し、前記コア部材を着脱可能に粘着保持する保持部材と、
前記貫通孔を経て、前記保持部材の所定領域を、裏面側から前記コア部材が粘着保持される表面側に向かって押し出して、前記コア部材の前記一方側鍔部の前記外部電極を形成すべき領域が、前記他方側鍔部よりも、前記基材の前記一方主面から突出した姿勢とする第１の押し出し部材と、
前記貫通孔を経て、前記保持部材の他の所定領域を、裏面側から前記コア部材が粘着保持される表面側に向かって押し出して、前記コア部材の前記他方側鍔部の前記外部電極を形成すべき領域が、前記一方側鍔部よりも、前記基材の前記一方主面から突出した姿勢とする第２の押し出し部材と
を備えた保持治具を用いることを特徴とする請求項３記載の巻線型コイル部品の製造方法。
【発明の詳細な説明】
【技術分野】
【０００１】
本発明は、コイル部品の製造方法に関し、詳しくは、柱状の巻芯部と、巻芯部の両端に設けられた一対の鍔部とを備えたコア部材と、一対の鍔部における一方側鍔部と他方側鍔部に形成された一対の外部電極と、巻芯部に巻回された巻線とを具備する巻線型コイル部品の製造方法に関する。
【背景技術】
【０００２】
特許文献１には、例えば、図８に示すような巻線型コイル部品の製造方法が提案されている。
【０００３】
特許文献１に製造方法が提案されている図８の巻線型コイル部品１００は、柱状の巻芯部１０２と巻芯部１０２の両端に設けられた一対の鍔部１０３（一方側鍔部１０３ａ、他方側鍔部１０３ｂ）とを備えたコア部材１０１と、一対の鍔部１０３（一方側鍔部１０３ａ、他方側鍔部１０３ｂ）に形成された一対の外部電極１０４ａ，１０４ｂと、巻芯部に巻回された巻線１０５とを備えており、外部電極１０４ａ，１０４ｂは、一方側鍔部１０３ａと他方側鍔部１０３ｂの、巻線型コイル部品１００が実装される実装対象（例えば、回路基板など）に近い領域に形成されている。
【０００４】
また、外部電極１０４ａ，１０４ｂは，磁界などの特性の低下や、コイル（巻線１０５）へのはんだの回り込みなどの問題が生じないように、一方側鍔部１０３ａと他方側鍔部１０３ｂの対向面（内壁面）には電極が形成されず、一方側鍔部１０３ａと他方側鍔部１０３ｂの対向面側から、端面側（外壁面）に向かって、外部電極１０４ａ，１０４ｂの形成高さが高くなるように形成されている。
【０００５】
そして、特許文献１には、図８に示すような巻線型コイル部品を製造するにあたって、上述のような外部電極（以下、「傾斜外部電極」ともいう）を形成する方法として、図９に示すように、外部電極形成用の電極ペースト１０８を溜めた浴槽１０９にコア部材（フェライトコア）１０１を浸漬することにより、一対の鍔部１０３（一方側鍔部１０３ａ、他方側鍔部１０３ｂ）に、電極ペーストを塗布する工程、および電極ペーストを焼成する工程を経て、傾斜外部電極を形成する方法が示されている。
【０００６】
しかしながら，特許文献１の方法の場合、一方側鍔部に電極ペーストを塗布した後、コア部材を回転（回動）させて、他方側鍔部に電極ペーストを塗布することが必要になる。その場合、コア部材を１個ずつ、あるいは、一列ごとに複数個同時に保持して、一方側鍔部に電極ペーストを塗布した後、コア部材を逆側に傾けて（回動させて）、他方側鍔部を電極ペーストに浸漬することが必要になるため、一度に処理できるコア部材の数量が少なくなり、コストの増大を招くという問題点がある。
【先行技術文献】
【特許文献】
【０００７】
【特許文献１】特開平９−２１９３３３号公報
【発明の概要】
【発明が解決しようとする課題】
【０００８】
本発明は、上記課題を解決するものであり、コア部材を構成する一方の鍔部と他方の鍔部の一対の鍔部の少なくとも一方に、一方の鍔部と他方の鍔部の互いに対向する面側から逆の面側に向かって高さ寸法が徐々に大きくなるように傾斜した外部電極（傾斜外部電極）が形成された構造を有する巻線型コイル部品であって、形状精度の高い傾斜外部電極を備えた、特性が良好で信頼性の高い巻線型コイル部品を効率よく製造できるようにすることを目的とする。
【課題を解決するための手段】
【０００９】
上記課題を解決するために、本発明の第１の巻線型コイル部品の製造方法は、
柱状の巻芯部と、前記巻芯部の両端に設けられた一対の鍔部とを備えたコア部材と、前記一対の鍔部における一方側鍔部と他方側鍔部のそれぞれに形成された一対の外部電極と、前記巻芯部に巻回された巻線とを具備し、前記一対の外部電極のそれぞれが、前記一対の鍔部の互いに対向する面側から逆の面側に向かって高さ寸法が徐々に大きくなるように傾斜した構造を有する巻線型コイル部品の製造方法において、
貫通孔を備えた基材と、当該基材の一方主面に配設された、粘着性および弾性を有する保持部材とを有する保持治具における当該保持治具の表面に、前記コア部材を着脱可能に粘着保持させる保持工程と、
押し出し部材を、前記基材の前記貫通孔を経て、前記保持部材の裏面側から表面側に向かって押し出すことにより、前記保持部材の前記コア部材を保持する前記表面が前記基材の前記一方主面に対して所定の角度を持って傾斜するように前記保持部材を変形させ、前記コア部材の前記一方側鍔部の前記外部電極を形成すべき領域が、前記他方側鍔部よりも、前記基材の前記一方主面から突出した姿勢とする姿勢調整工程と、
前記基材の前記一方主面から突出した前記一方側鍔部の前記外部電極を形成すべき領域を電極ペーストに浸漬し、引き離すことにより、前記一方側鍔部の前記外部電極を形成すべき領域に電極ペーストを付与する電極ペースト付与工程と
を備えていることを特徴としている。
【００１０】
本発明の第１の巻線型コイル部品の製造方法においては、
前記保持治具として、
貫通孔を設けたプレート状の基材と、
前記基材の前記一方主面に、所定領域が前記基材に固着するように配設された、粘着性および弾性を有し、前記コア部材を着脱可能に粘着保持する保持部材と、
前記貫通孔を経て、前記保持部材の所定領域を、裏面側から前記コア部材が粘着保持される表面側に向かって押し出して、前記コア部材の前記一方側鍔部の前記外部電極を形成すべき領域が、前記他方側鍔部よりも、前記基材の前記一方主面から突出した姿勢とする押し出し部材と
を備えた保持治具を用いることが好ましい。
【００１１】
上述のように構成された保持治具を用いることにより、押し出し部材により、表面にコア部材を粘着保持した保持部材の所定の位置を押圧して、保持部材を変形させ、一対の鍔部のうちの一方側鍔部の外部電極を形成すべき領域が、他方側鍔部よりも、基材の一方主面からから突出した姿勢とすることが可能になり、意図する態様で確実に一方側鍔部の所定の領域に電極ペースト膜を確実に付与することが可能になり、本発明をより実効あらしめることができる。
【００１２】
また、本発明の第２の巻線型コイル部品の製造方法は、
柱状の巻芯部と、前記巻芯部の両端に設けられた一対の鍔部とを備えたコア部材と、前記一対の鍔部における一方側鍔部と他方側鍔部のそれぞれに形成された一対の外部電極と、前記巻芯部に巻回された巻線とを具備し、前記一対の外部電極のそれぞれが、前記一対の鍔部の互いに対向する面側から逆の面側に向かって高さ寸法が徐々に大きくなるように傾斜した構造を有する巻線型コイル部品の製造方法において、
貫通孔を備えた基材の一方主面に配設された、粘着性および弾性を有する保持部材の表面に、前記コア部材を着脱可能に粘着保持させる保持工程と、
第１の押し出し部材を、前記基材の前記貫通孔を経て、前記保持部材の裏面側から表面側に向かって押し出すことにより、前記保持部材の前記コア部材を保持する前記表面が前記基材の前記一方主面に対して所定の角度を持って傾斜するように前記保持部材を変形させ、前記コア部材の前記一方側鍔部の前記外部電極を形成すべき領域が、前記他方側鍔部よりも、前記基材の前記一方主面から突出した姿勢とする第１の姿勢調整工程と、
前記基材の前記一方主面から突出した前記一方側鍔部の前記外部電極を形成すべき領域を電極ペーストに浸漬し、引き離すことにより、前記一方側鍔部の前記外部電極を形成すべき領域に電極ペーストを付与する第１の電極ペースト付与工程と、
前記第１の電極ペースト付与工程の後に、前記保持部材の裏面側から表面側に向かって押し出していた前記第１の押し出し部材を元の位置に戻して、前記保持部材の前記コア部材を保持する前記表面が前記基材の前記一方主面と平行な状態にした後、前記第１の押し出し部材により押し出す位置とは異なる前記保持部材の所定の位置を、第２の押し出し部材により、前記基材の前記貫通孔を経て、前記保持部材の裏面側から表面側に向かって押し出すことにより、前記保持部材の前記表面が前記基材の前記一方主面に対して所定の角度を持って傾斜するように前記保持部材を変形させ、前記コア部材の前記他方側鍔部の前記外部電極を形成すべき領域が、前記一方側鍔部よりも、前記基材の前記一方主面から突出した姿勢とする第２の姿勢調整工程と、
前記基材の前記一方主面から突出した前記他方側鍔部の前記外部電極を形成すべき領域を電極ペーストに浸漬し、引き離すことにより、前記一方側鍔部の前記外部電極を形成すべき領域に電極ペーストを付与する第２の電極ペースト付与工程と
を備えていることを特徴としている。
【００１３】
また、本発明の第２の巻線型コイル部品の製造方法においては、
前記保持治具として、
貫通孔を設けたプレート状の基材と、
前記基材の前記一方主面に、所定領域が前記基材に固着するように配設された、粘着性および弾性を有し、前記コア部材を着脱可能に粘着保持する保持部材と、
前記貫通孔を経て、前記保持部材の所定領域を、裏面側から前記コア部材が粘着保持される表面側に向かって押し出して、前記コア部材の前記一方側鍔部の前記外部電極を形成すべき領域が、前記他方側鍔部よりも、前記基材の前記一方主面から突出した姿勢とする第１の押し出し部材と、
前記貫通孔を経て、前記保持部材の他の所定領域を、裏面側から前記コア部材が粘着保持される表面側に向かって押し出して、前記コア部材の前記他方側鍔部の前記外部電極を形成すべき領域が、前記一方側鍔部よりも、前記基材の前記一方主面から突出した姿勢とする第２の押し出し部材と
を備えた保持治具を用いることが好ましい。
【００１４】
上記構成を備えた保持治具を用いることにより、第１の押し出し部材により、表面にコア部材を粘着保持した保持部材の所定の位置を押圧して、保持部材を変形させ、一対の鍔部のうちの一方側鍔部の外部電極を形成すべき領域が、他方側鍔部よりも、基材の一方主面から突出した姿勢とすることが可能になり、また、第２の押し出し部材により、表面にコア部材を粘着保持した保持部材の所定の位置を押圧して、保持部材を変形させ、一対の鍔部のうちの他方側鍔部の外部電極を形成すべき領域が、一方側鍔部よりも、基材の一方主面からから突出した姿勢とすることが可能になり、意図する態様で確実に一方側鍔部および他方側鍔部の所定の領域に電極ペースト膜を確実に付与することが可能になり、本発明をより実効あらしめることができる。
【発明の効果】
【００１５】
本発明の第１の巻線型コイル部品の製造方法は上述のように構成されており、  貫通孔を備えた基材の一方主面に配設された、粘着性および弾性を有する保持部材の表面に、コア部材を着脱可能に粘着保持させ、押し出し部材を、貫通孔を経て、保持部材の裏面側から表面側に向かって押し出すことにより、保持部材のコア部材を保持する表面が基材の一方主面に対して所定の角度を持って傾斜するように保持部材を変形させ、コア部材の一対の鍔部のうちの一方側鍔部の外部電極を形成すべき領域が、他方側鍔部よりも、基材の一方主面から突出した姿勢として、突出した一方側鍔部の外部電極を形成すべき領域を電極ペーストに浸漬して電極ペーストを付与するようにしているので、少なくとも一方の鍔部に上述の傾斜外部電極を効率よく形成することが可能になる。
【００１６】
また、押し出し部材の形状、寸法、基材の貫通孔の位置や寸法を調整することで、保持部材の面積あたりの処理個数を増やすことが可能になる。
【００１７】
その結果、上述のような従来の方法に比べて、設備を大きくすることなく、取り個数を増やすことが可能になり、生産性を向上させるとともに、巻線型コイル部品の製造コストの削減を図ることができる。
【００１８】
また、本発明の第２の巻線型コイル部品の製造方法は、上述のように構成されており、第１の押し出し部材で、粘着性および弾性を有する保持部材の所定の領域を裏面側から表面側に押し出し、保持部材の表面を傾斜させ、保持部材に粘着保持されたコア部材を傾けて一方側鍔部を突出させ、電極ペーストに浸漬することにより外部電極を形成すべき領域に電極ペーストを付与して一方側鍔部に斜めに電極ペースト膜を形成した後、第２の押し出し部材で、粘着性および弾性を有する保持部材の所定の領域を裏面側から表面側に押し出し、保持部材の表面を傾斜させ、保持部材に粘着保持されたコア部材を傾けて他方側鍔部を突出させ、同様にして他方側鍔部に斜めに電極ペースト膜を形成するようにしているので、一対の鍔部のそれぞれに上述の傾斜外部電極を効率よく形成することが可能になる。
【００１９】
したがって、一方側鍔部に電極ペースト膜を形成した後に、コア部材を回動させて持ち替える動作を必要とせずに、第２の押し出し部材を押し出すだけで他方側鍔部に電極ペースト膜を形成することが可能になり、上記従来の方法に比べてタクトタイムを短くして生産性を向上させることができる。
【図面の簡単な説明】
【００２０】
【図１】本発明の方法により製造される巻線型コイル部品の一例を示す図であり、(ａ)は正面図、(ｂ)は側面図である。
【図２】本発明の巻線型コイル部品の製造方法を実施するのに用いた保持治具の構成を説明するための要部正面断面図である。
【図３】本発明の巻線型コイル部品の製造方法を実施する際に保持治具にコア部材を保持させた状態を示す図であり（ａ）は正面図、（ｂ）は下面図である。
【図４】第１の押し出し部材を押し出して、保持治具に保持させたコア部材を傾斜させ、一方側鍔部の外部電極を形成すべき領域を、他方側鍔部よりも、基材の一方主面からから突出させた状態を示す図である。
【図５Ａ】図４に示す状態で保持したコア部材の一方側鍔部の外部電極を形成すべき領域を電極ペーストに浸漬している状態を示す図である。
【図５Ｂ】図５Ａに示すように電極ペーストに浸漬したコア部材を引き上げた状態を示す図である。
【図６】第２の押し出し部材を押し出して、保持治具に保持させたコア部材を傾斜させ、他方側鍔部の外部電極を形成すべき領域を、一方側鍔部よりも、基材の一方主面からから突出させた状態を示す図である。
【図７Ａ】コア部材の他方側鍔部の外部電極を形成すべき領域を電極ペーストに浸漬している状態を示す図である。
【図７Ｂ】図７Ａに示すように電極ペーストに浸漬したコア部材を引き上げた状態を示す図である。
【図８】従来の巻線型コイル部品の製造方法により製造される巻線型コイル部品を示す図である。
【図９】図８の巻線型コイル部品の製造方法を示す図である。
【発明を実施するための形態】
【００２１】
以下に本発明の実施の形態を示して、本発明の特徴とするところをさらに詳しく説明する。
【００２２】
［実施形態１］
この実施形態１では、図１（ａ），（ｂ）に示すような構造を有する巻線型コイル部品（巻線型インダクタ）の製造方法を、コア部材に外部電極を形成する工程に重点をおいて説明する。
【００２３】
なお、この実施形態１で製造される巻線型コイル部品１０は、柱状の巻芯部２と該巻芯部２の両端に連接された一対の鍔部（一方側鍔部３ａ、他方側鍔部３ｂ）とを有するコア部材１と、コア部材１の一方側鍔部３ａおよび他方側鍔部３ｂに配設された一対の外部電極（外部電極４ａ，４ｂ）と、巻芯部２に巻回された巻線５とを備えている。巻線５の両端は、はんだなどにより外部電極４ａ，４ｂに接続されている。
【００２４】
そして、外部電極４ａ，４ｂは，磁界などの特性の低下や、コイル（巻線５）へのはんだの回り込みなどの問題が生じないように、一方側鍔部３ａと他方側鍔部３ｂの対向面（内壁面）には電極が形成されず、一方側鍔部３ａと他方側鍔部３ｂの対向面側から、端面側（外壁面）に向かって、外部電極４ａ，４ｂの形成高さが高くなるように、すなわち、一方側鍔部３ａと他方側鍔部３ｂの側面における外部電極の上辺が傾斜した態様で形成されている。なおここでは、内壁面に電極が形成されていない例を示したが、電極構造はそれに限定されず、外壁面よりも内壁面の外部電極４ａ、４ｂの形成高さが低ければ、内壁面にも電極が形成されていてもよい。
【００２５】
また、コア部材１の構成材料としては、セラミックス系材料（例えば、アルミナ、フェライトなど）や、金属磁性体材料などを用いることが可能である。
また、外部電極４ａ，４ｂを構成する材料としては銀、銅などを用いることが可能である。
また、本発明は、エポキシ樹脂などの熱硬化樹脂を主成分とする保護部材により巻線５を保護するようにした巻線型コイル部品を製造する場合にも適用することが可能である。
【００２６】
次に、この巻線型コイル部品１０の製造方法について説明する。
まず、図１（ａ），（ｂ）に示すような、巻芯部２と該巻芯部２の両端に連接された一対の鍔部（一方側鍔部３ａ、他方側鍔部３ｂ）とを有するコア部材１を用意する。
【００２７】
次に、以下に説明する手順で外部電極４ａ，４ｂ（図１（ａ），（ｂ））を形成する。
外部電極を形成するにあたっては、まず、コア部材１を保持するための保持治具として、以下に説明するような保持治具２０を用意する（図２、図３（ａ），（ｂ）参照）。
保持治具２０は、貫通孔１２を設けたプレート状の基材１１と、基材１１の一方主面１１ａに、所定領域が基材１１に固着するように配設された、粘着性および弾性を有し、コア部材１を着脱可能に粘着保持する保持部材１３を備えている。なお、基材１１は保持機構１５に保持されている。
【００２８】
また、保持治具２０は、上記基材１１に設けた貫通孔１２を経て、保持部材１３の所定領域を、裏面側からコア部材１が粘着保持された表面側に向かって押し出して、コア部材１の一対の鍔部のうちの一方の鍔部（一方側鍔部）３ａの外部電極４（４ａ）（図１（ａ））を形成すべき領域Ｒ１が、他方の鍔部（他方側鍔部）３ｂよりも、基材１１の一方主面１１ａから突出した姿勢とする第１の押し出し部材２１と、貫通孔１２を経て、保持部材１３の他の所定領域を、裏面側からコア部材１が粘着保持された表面側に向かって押し出して、コア部材１の他方側鍔部３ｂの外部電極４（４ｂ）を形成すべき領域Ｒ２が、一方側鍔部３ａよりも、基材１１の一方主面１１ａから突出した姿勢とする第２の押し出し部材２２を備えている。
【００２９】
なお、保持治具２０は、図３（ａ），（ｂ）に示すように、複数個のコア部材１をマトリックス状に保持することができるように構成されており、各コア部材１０を取り扱うための第１の押し出し部材２１および第２の押し出し部材２２は、図３（ｂ）に示すように、コア部材１の列ごとにそれぞれ一つずつ、所定の位置に配設されている。
【００３０】
次に、上述の保持治具２０を用いて、コア部材１に外部電極４を形成する方法について説明する。
【００３１】
まず、図２，図３に示すように、上記保持治具２０の粘着性および弾性を有する保持部材１３の表面に、コア部材１を着脱可能に粘着保持させる。
それから、図４に示すように、第１の押し出し部材２１を基材１１の貫通孔１２を経て、保持部材１３の裏面側から表面側に向かって押し出す。
【００３２】
これにより、保持部材１３のコア部材１を保持する表面が、基材１１の一方主面１１ａに対して所定の角度を持って傾斜するように保持部材１３を変形させ、コア部材１の一方側鍔部３ａの外部電極（４ａ（図１参照））を形成すべき領域Ｒ１が、他方側鍔部３ｂよりも、基材１１の一方主面１１ａからから突出した姿勢とする。
【００３３】
次に、図５Ａに示すように、基材１１の一方主面１１ａから突出した一方側鍔部３ａの外部電極４ａ（図１（ａ））を形成すべき領域Ｒ１を、テーブル１６上に展開させた電極ペースト１７に浸漬し、引き離すことにより、図５Ｂに示すように、一方側鍔部３ａの外部電極を形成すべき領域Ｒ１に電極ペースト膜１７ａを形成する。
【００３４】
次に、保持部材１３の裏面側から表面側に向かって押し出していた第１の押し出し部材２１を元の位置に戻して、保持部材１３のコア部材１を保持する表面が基材１１の一方主面１１ａと平行な状態にする（すなわち、保持部材１３の形状を復帰させる）。それから、図６に示すように、先の工程で第１の押し出し部材２１により押し出した位置とは異なる保持部材１３の所定の位置を、第２の押し出し部材２２により、基材１１の貫通孔１２を経て、保持部材１３の裏面側から表面側に向かって押し出す。
【００３５】
これにより、保持部材１３のコア部材１を保持する表面が、基材１１の一方主面１１ａに対して所定の角度を持って傾斜するように保持部材１３を変形させ、コア部材１の他方側鍔部３ｂの外部電極４ｂ（図１）を形成すべき領域Ｒ２が、一方側鍔部３ａよりも、基材１１の一方主面１１ａからから突出した姿勢とする。
【００３６】
そして、図７Ａに示すように、基材１１の一方主面１１ａから突出した他方側鍔部３ｂの外部電極４ｂ（図１（ａ））を形成すべき領域Ｒ２を、テーブル１６上に展開させた電極ペースト１７に浸漬し、引き離すことにより、図７Ｂに示すように、他方側鍔部３ａの外部電極４ｂを形成すべき領域Ｒ２に電極ペースト膜１７ｂを形成する。
【００３７】
そして、形成した電極ペースト膜１７ａ，１７ｂを乾燥させた後、コア部材を焼成して、電極ペーストを焼き付けることにより、図１に示すように、一方側鍔部３ａおよび他方側鍔部３ｂに所定の形状を有する一対の外部電極（傾斜外部電極）４ａ，４ｂを備えたコア部材１を得る。
【００３８】
そして、コア部材１の巻芯部２に巻線５を巻回し、巻線５の両端を、はんだなどにより外部電極４ａ，４ｂに接続する。これにより、図１に示すような構造を有する巻線型コイル部品１０が得られる。
【００３９】
上述のように、この実施形態１の巻線型コイル部品の製造方法によれば、第１の押し出し部材を押し出すことにより傾斜させたコア部材の一方側鍔部に電極ペースト膜を形成した後に、コア部材を回動させて持ち替える動作を必要とせずに、第１の押し出し部材を戻して、第２の押し出し部材を押し出すだけで他方側鍔部に電極ペースト膜を形成することが可能になるため、従来の方法に比べてタクトタイムを短くして、形状精度の高い外部電極を備えた巻線型コイル部品を効率よく製造することができる。
【００４０】
なお、上述の実施形態１では、一方側鍔部の外部電極を形成すべき領域および他方側鍔部の外部電極を形成すべき領域に電極ペースト膜を形成するようにした場合について説明したが、一方側鍔部および他方側端部のいずれか一方の外部電極を形成すべき領域にのみ電極ペースト膜を形成するように構成することも可能である。
【００４１】
なお、本発明は、上記の実施形態に限定されるものではなく、コア部材の具体的な構成、粘着性および弾性を有する保持部材を構成する材料の種類、押し出し部材（第１の押し出し部材および第２の押し出し部材）の具体的な構成、姿勢調整工程の押し出し部材の動作、電極ペースト付与工程における電極ペーストの付与方法などに関し、発明の範囲内において、種々の応用、変形を加えることが可能である。
【符号の説明】
【００４２】
１          コア部材
２          巻芯部
３ａ        一対の鍔部を構成する一方側鍔部
３ｂ        一対の鍔部を構成する他方側鍔部
４ａ，４ｂ  一対の外部電極
５          巻線
１０        巻線型コイル部品
１１        基材
１１ａ      基材の一方主面
１２        貫通孔
１３        保持部材
１５        保持機構
１６        テーブル
１７        電極ペースト
１７ａ      電極ペースト膜
１７ｂ      電極ペースト膜
２０        保持治具
２１        第１の押し出し部材
２２        第２の押し出し部材
Ｒ１        一方側鍔部の外部電極を形成すべき領域
Ｒ２        他方側鍔部の外部電極を形成すべき領域
【図１】
2016042549.tif 000003
【図２】
2016042549.tif 000004
【図３】
2016042549.tif 000005
【図４】
2016042549.tif 000006
【図５Ａ】
2016042549.tif 000007
【図５Ｂ】
2016042549.tif 000008
【図６】
2016042549.tif 000009
【図７Ａ】
2016042549.tif 000010
【図７Ｂ】
2016042549.tif 000011
【図８】
2016042549.tif 000012
【図９】
2016042549.tif 000013